(57)【要約】【課題】一対のブラシに接続される同一形状の端子が、カバーの軸線に沿う方向を長辺方向とした平板状の挿入片部と、挿入片部の短辺方向に沿って延びて挿入片部に連設される導線接続片部とを一体に有し、挿入辺部がカバーに挿通される燃料ポンプにおいて、挿入片部の一端部の給電端子接続部に接続される旗型端子の外部導線との接続部が、カバーの軸線方向への投影面からはみ出さないようにする。【解決手段】カバー２３の軸線Ｃ１に沿う方向への投影図上で挿入片部４０の板厚方向での中心を通る直線Ｌ１上に導線４６の軸線Ｃ２が配置されるようにして該導線４６を挟持する挟持部４３が導線接続片部４２に一体に設けられ、挿入片部４０が、一対のブラシ２６が配置される一直径線ＤＬを含む平面ＰＬの一方側でカバー２３に挿通され、導線接続片部４２が、挟持部４３を前記投影図上で前記一直径線ＤＬ側に配置するようにして挿入片部４０から延出される。【選択図】      図２
2017120038.tif 000002
【特許請求の範囲】
【請求項１】
ポンプケース（２０）の一部を構成しつつ合成樹脂によって形成される有底円筒状のカバー（２３）と；前記ポンプケース（２０）に収容される電動モータ（２１）の一部を構成して前記カバー（２３）の一直径線上で該カバー（２３）内に保持される一対のブラシ（２６）と；前記カバー（２３）の外方に突出する給電端子接続部（４１）を一端部に有しつつ前記カバー（２３）の軸線（Ｃ１）に沿う方向を長辺方向（４４）とした平板状に形成されて前記カバー（２３）に挿通される挿入片部（４０）、ならびに当該挿入片部（４０）の短辺方向（４５）に沿って延びるように形成されて前記挿入片部（４０）の他端部に一端部が連設される導線接続片部（４２）を一体に有して同一形状に形成される一対の端子（３５）と；を備え、一対の前記端子（３５）の前記導線接続片部（４２）が一対の前記ブラシ（２６）に個別の導線（４６）を介して接続される燃料ポンプにおいて、前記カバー（２３）の軸線（Ｃ１）に沿う方向への投影図上で前記挿入片部（４０）の板厚方向での中心を通る直線（Ｌ１）上に前記導線（４６）の軸線（Ｃ２）が配置されるようにして該導線（４６）を挟持する挟持部（４３）が、前記導線接続片部（４２）の他端部に一体に設けられ、前記挿入片部（４０）が、一対のブラシ（２６）が配置される前記一直径線（ＤＬ）を含む平面（ＰＬ）の一方側で前記カバー（２３）に挿通され、前記導線接続片部（４２）が、前記挟持部（４３）を前記投影図上で前記一直径線（ＤＬ）側に配置するようにして前記挿入片部（４０）から延出されることを特徴とする燃料ポンプ。
【請求項２】
前記カバー（２３）に、一対の前記ブラシ（２６）を前記カバー（２３）の軸線に沿う方向での摺動を可能として保持する一対のブラシ保持壁（４７）が一体に形成され、前記投影図上で前記一直径線（ＤＬ）に沿って延びて前記ブラシ（２６）および前記挟持部（４３）間を結ぶ導線（４６）を前記ブラシ保持壁（４７）内に導入する導線導入窓（４８）が、前記一直径線（ＤＬ）に沿って前記ブラシ保持壁（４７）に形成されることを特徴とする請求項１に記載の燃料ポンプ。
【請求項３】
前記挿入片部（４０）が、前記投影図上で前記短辺方向（４５）を前記一直径線（ＤＬ）と直交する他の直線（Ｌ４）に対して傾斜させるようにして、前記カバー（２３）に挿通されることを特徴とする請求項１または２に記載の燃料ポンプ。
【発明の詳細な説明】
【技術分野】
【０００１】
本発明は、ポンプケースの一部を構成しつつ合成樹脂によって形成される有底円筒状のカバーと；前記ポンプケースに収容される電動モータの一部を構成して前記カバーの一直径線上で該カバー内に保持される一対のブラシと；前記カバーの外方に突出する給電端子接続部を一端部に有しつつ前記カバーの軸線に沿う方向を長辺方向とした平板状に形成されて前記カバーに挿通される挿入片部、ならびに当該挿入片部の短辺方向に沿って延びるように形成されて前記挿入片部の他端部に一端部が連設される導線接続片部を一体に有して同一形状に形成される一対の端子と；を備え、一対の前記端子の前記導線接続片部が一対の前記ブラシに個別の導線を介して接続される燃料ポンプに関する。
【背景技術】
【０００２】
同一形状である一対の端子が、ポンプケースの一部を構成する合成樹脂製のカバーに挿通され、給電端子である旗型端子がカバーの外方で端子に接続され、カバー内に保持される一対のブラシに、前記端子が導線を介して接続されるようにした燃料ポンプが、特許文献１で既に知られている。
【先行技術文献】
【特許文献】
【０００３】
【特許文献１】特開２０１１−２０２５５８号公報
【発明の概要】
【発明が解決しようとする課題】
【０００４】
上記特許文献１で開示されるものでは、一対のブラシがカバーの一直径線上に配置されており、それらのブラシの外側かつ前記一直径線上となる位置で、一対の端子の挿入片部が前記一直径線と直交する方向を短辺方向としてカバーに挿通され、一対の端子の導線接続片部が、前記一直径線の両側でブラシに接続されるようにして前記一直径線から離反するように挿入片部から延出されている。このためカバーの外方に配置されるようにして前記挿入片部が有する給電端子接続部に、給電端子としての旗型端子が接続されると、旗型端子の外部導線との接続部が、カバーの軸線方向への投影面からはみ出してしまう。ここで燃料ポンプのカバーを覆って該燃料ポンプを保持する保持部材に、旗型端子の外部導線との接続部の前記投影面からのはみ出し部を許容する空間が設けられれば、保持部材で燃料ポンプを保持することができるものの、保持部材が燃料ポンプの半径方向で大型化してしまう。そこで給電端子として一直線状に延びる端子を用いれば、当該端子と外部導線との接続部を前記投影面内に納めることができるが、そうすると保持部材が軸方向に大型化してしまう。
【０００５】
本発明は、かかる事情に鑑みてなされたものであり、同一形状である一対の端子を用いながら、給電端子を旗型端子としてもその旗型端子の外部導線との接続部がカバーの軸線方向への投影面からはみ出してしまうことがないようにした燃料ポンプを提供することを目的とする。
【課題を解決するための手段】
【０００６】
上記目的を達成するために、本発明は、ポンプケースの一部を構成しつつ合成樹脂によって形成される有底円筒状のカバーと；前記ポンプケースに収容される電動モータの一部を構成して前記カバーの一直径線上で該カバー内に保持される一対のブラシと；前記カバーの外方に突出する給電端子接続部を一端部に有しつつ前記カバーの軸線に沿う方向を長辺方向とした平板状に形成されて前記カバーに挿通される挿入片部、ならびに当該挿入片部の短辺方向に沿って延びるように形成されて前記挿入片部の他端部に一端部が連設される導線接続片部を一体に有して同一形状に形成される一対の端子と；を備え、一対の前記端子の前記導線接続片部が一対の前記ブラシに個別の導線を介して接続される燃料ポンプにおいて、前記カバーの軸線に沿う方向への投影図上で前記挿入片部の板厚方向での中心を通る直線上に前記導線の軸線が配置されるようにして該導線を挟持する挟持部が、前記導線接続片部の他端部に一体に設けられ、前記挿入片部が、一対のブラシが配置される前記一直径線を含む平面の一方側で前記カバーに挿通され、前記導線接続片部が、前記挟持部を前記投影図上で前記一直径線側に配置するようにして前記挿入片部から延出されることを第１の特徴とする。
【０００７】
また本発明は、第１の特徴の構成に加えて、前記カバーに、一対の前記ブラシを前記カバーの軸線に沿う方向での摺動を可能として保持する一対のブラシ保持壁が一体に形成され、前記投影図上で前記一直径線に沿って延びて前記ブラシおよび前記挟持部間を結ぶ導線を前記ブラシ保持壁内に導入する導線導入窓が、前記一直径線に沿って前記ブラシ保持壁に形成されることを第２の特徴とする。
【０００８】
さらに本発明は、第１または第２の特徴の構成に加えて、前記挿入片部が、前記投影図上で前記短辺方向を前記一直径線と直交する他の直線に対して傾斜させるようにして、前記カバーに挿通されることを第３の特徴とする。
【発明の効果】
【０００９】
本発明の第１の特徴によれば、一対のブラシが配置される一直径線を含む平面の一方側で一対の挿入片部がカバーに挿通され、挿入片部に一端部が連設される導線接続片部の他端部に一体に設けられる挟持部が、カバーの軸線に沿う方向への平面への投影図上で挿入片部の板厚方向での中心を通る直線上に導線の軸線が配置されるようにして該導線を挟持しつつ前記一直径線側に配置されるので、旗型端子を給電端子として用いたときに、外部導線との接続部がカバーの軸線方向への投影面からはみ出してしまうことがないように旗型端子を配置することができる。すなわちカバー内の一対のブラシと、カバーの側壁内面との間で端子を配置可能なスペースは、一対のブラシが配置される一直径線を含む平面の両側に存在するが、挿入片部の板厚方向での中心を通る直線上に導線の軸線が在るようにして当該導線を挟持部が挟持するように端子が形成されることで、挿入片部の板厚方向での中心を通る直線からの張り出しを小さくして端子を形成することができ、同一形状である一対の端子を用いながら、それらの端子を、一対のブラシを通る一直径線を含む平面の一方側に配置して、給電端子接続部を前記平面の一方側に配置することが可能となり、それによって外部導線との接続部がカバーの軸線方向への投影面からはみ出してしまうことがないように旗型端子を配置することが可能となる。
【００１０】
また本発明の第２の特徴によれば、ブラシを摺動可能に保持するブラシ保持壁に、カバーの軸線に沿う方向への投影図上でカバーの一直径線に沿って延びてブラシおよび挟持部間を結ぶ導線をブラシ保持壁内に導入する導線導入窓が形成されるので、ブラシ保持壁への導線のこすれを抑制することができる。
【００１１】
さらに本発明の第３の特徴によれば、挿入片部の短片方向が、カバーの軸線に沿う方向への投影図上で、一対のブラシを通る一直径線と直交する他の直線に対して傾斜する方向となるので、導線接続片部をカバーの側壁内周面に沿わせるようにして、端子を限られたスペースに有効に配置することができる。
【図面の簡単な説明】
【００１２】
【図１】燃料供給装置の一部切欠き縦断側面図である。
【図２】カバーを内側から見た正面図である。
【図３】カバーを外側から見た背面図である。
【図４】端子を図２の４矢視方向から見た側面図である。
【発明を実施するための形態】
【００１３】
本発明の実施の形態を添付の図１〜図４を参照しながら説明すると、先ず図１において、自動二輪車に搭載される燃料タンクＴの天井壁５には、燃料タンクＴ内の燃料をエンジンの燃料噴射弁に供給する燃料供給装置６が取り付けられる。この燃料供給装置６は、合成樹脂から成る上部保持部材７と、この上部保持部材７の直下で軸方向を上下に向けて配置される燃料ポンプ８と、前記上部ポンプ保持部材７に着脱可能に結合されるととともに前記上部保持部材７と協働して燃料ポンプ８を収容、保持する下部保持部材９と、燃料ポンプ８の下端に取り付けられる燃料ストレーナ１０とを備える。
【００１４】
燃料タンクＴの天井壁５には開口部１１が設けられるととともにこの開口部１１を囲繞する取り付けリング１２が固設される。この取り付けリング１２には、その上面から突出する複数本の取り付けボルト１３が固設されている。一方、前記上部保持部材７には、前記開口部１１の周縁部で取り付けリング１２の上面に重ねられるフランジ１４が一体に設けられており、前記フランジ１４に挿通される前記取り付けボルト１３にナット１５が螺合されることで、前記上部保持部材７が前記開口部１１を塞ぐようにして前記天井壁５に締結され、前記フランジ１４および前記天井壁５間には、開口部１１をシールする環状のシール部材１６が介装される。
【００１５】
前記上部保持部材７には、燃料タンクＴ外で水平方向に突出する燃料取り出し管１７が一体に形成され、この燃料取り出し管１７の外端部には、エンジンの燃料噴射弁に連なる燃料供給導管が接続される。
【００１６】
また上部保持部材７は、前記開口部１１から燃料タンクＴ内に挿入されて燃料ポンプ８の上半部外周面に嵌合する円筒部１８を有しており、前記下部保持部材９は前記燃料ポンプ８の下半部を収容、保持するようにして合成樹脂により円筒状に成形される。そして上部保持部材７の前記円筒部１８および下部保持部材９の対向端部は相互に分離可能に結合され、燃料ポンプ８が、上部保持部材７の円筒部１８および下部保持部材９間に収容、保持されることになる。
【００１７】
燃料ポンプ８のポンプケース２０内の上部には、モータ軸２２を鉛直方向に向けた電動モータ２１が収容されており、前記ポンプケース２０の一部を構成するカバー２３、この実施の形態では前記ポンプケース２０の上部を構成するカバー２３には、前記モータ軸２２の上端部を回転自在に支持する円筒状の軸受部２４が一体に設けられ、その軸受部２４の直下で前記モータ軸２２に設けられるコンミテータ２５に弾発的に摺接する一対のブラシ２６が、前記カバー２３内に保持される。
【００１８】
また前記カバー２３には、その上方に突出して前記上部保持部材７に液密に嵌合する燃料吐出管２７が一体に形成され、この燃料吐出管２７内にはポンプケース２０側への燃料の逆流を阻止する逆止弁（図示せず）が設けられる。また前記上部保持部材７には、燃料取り出し管１７内および燃料吐出管２７内を通じさせる燃料通路２９と、この燃料通路２９の途中から分岐する調圧路３０とが形成される。前記調圧路３０には、燃料通路２９内の圧力を、前記燃料噴射弁からの燃料噴射に適した所定圧力に調整するための圧力調整弁３１が接続され、圧力調整弁３１から排出される燃料を燃料タンクＴ内に戻すための切欠き窓３２が上部保持部材７の円筒部１８に形成される。
【００１９】
前記カバー２３には、一対の前記ブラシ２６に個別に連なる一対の端子３５が配設され、前記カバー２３の外方で前記端子３５に給電端子としての旗型端子３６がそれぞれ接続され、それらの旗形端子３６にそれぞれ接続される外部導線３９は前記切欠き窓３２を経て外部に導出される。一方、前記上部保持部材７には、その上面から突出する給電用カプラ３７が一体に形成されており、この給電用カプラ３７内の接続端子３８と、前記旗形端子３６とが前記外部導線３９を介して接続される。
【００２０】
図２〜図４を併せて参照して、前記カバー２３は、合成樹脂によって有底円筒状に形成されており、一対の前記ブラシ２６は、前記カバー２３の一直径線ＤＬ上で該カバー２３内に保持される。
【００２１】
また前記端子３５は、前記カバー２３の外方に突出する給電端子接続部４１を一端部に有しつつ前記カバー２３の軸線に沿う方向を長辺方向４４とした平板状に形成されて前記カバー２３に挿通される挿入片部４０と、当該挿入片部４０の短辺方向４５に沿って延びるように形成されて前記挿入片部４０の他端部に一端部が連設される導線接続片部４２とを一体に有するように形成され、一対の端子３５は同一形状に形成される。
【００２２】
この実施の形態では、前記挿入片部４０は、前記給電端子接続部４２を一端部に有して前記カバー２３にその内方側から挿通される挿通部分４０ａと、前記カバー２３内に突出するようにして前記挿通部分４０ａよりも幅広に形成される突出部分４０ｂとが、段差部４０ｃを介して連設されて成り、前記挿入片部４０をカバー２３内に挿通する際に前記段差部４０ｃが前記カバー２３に当接することで挿入片部４０の挿入端が規制される。
【００２３】
前記導線接続片部４２は、前記挿入片部４０の他端部すなわち前記幅広部分４０ｂの前記カバー２３からの突出端部に一体に連設されるものであり、挿入片部４０の短辺方向４５に沿って延びるとともに前記挿入片部４０の他端部から離反するにつれて前記カバー２３の底壁に近接するように傾斜して形成され、この導線接続片部４２が一対の前記ブラシ２６に個別の導線４６を介して接続される。
【００２４】
前記導線接続片部４２の他端部には導線４６を挟持する挟持部４３が設けられ、この挟持部４３は、前記カバー２３の軸線Ｃ１に沿う方向への投影図（図２で示す図）上で、前記挿入片部４０の板厚方向での中心を通る直線Ｌ１上に前記導線４６の軸線Ｃ２が配置されるようにして前記導線４６を挟持するようにして形成されるものであり、この実施の形態で前記挟持部４３は、前記直線Ｌ１と平行であってその直線Ｌ１から等距離にある２つの直線Ｌ２，Ｌ３間の領域で前記導線４６を囲繞するようにして、略Ｃ字状に形成される。
【００２５】
しかも前記挿入片部４０は、一対のブラシ２６が配置される前記一直径線ＤＬを含む平面ＰＬの一方側、この実施の形態では前記平面ＰＬの両側のうち前記燃料吐出管２７が配置される側で前記カバー２３に挿通され、導線接続片部４２が、挟持部４３を前記投影図上で前記一直径線ＤＬ側に配置するようにして前記挿入片部４０から延出される。
【００２６】
前記カバー２３には、一対の前記ブラシ２６を前記カバー２３の軸線Ｃ１に沿う方向での摺動を可能として保持する一対のブラシ保持壁４７が一体に形成されており、前記投影図上で前記一直径線ＤＬに沿って延びて前記ブラシ２６および前記挟持部４３間を結ぶ導線４６を前記ブラシ保持壁４７内に導入する導線導入窓４８が、前記一直径線ＤＬに沿って前記ブラシ保持壁４７に形成される。
【００２７】
さらに前記挿入片部４０は、前記投影図上で前記短辺方向４５を、前記一直径線ＤＬと直交する他の直線、たとえば前記一直径線ＤＬと直交して前記カバー２３の軸線Ｃ１を通る直線Ｌ４に対して傾斜させるようにして、前記カバー２３に挿通されるものであり、一対の端子３５は、前記挟持部４３側に向かうにつれて相互に離隔する相対姿勢で前記カバー２３に配設される。
【００２８】
次にこの実施の形態の作用について説明すると、ポンプケース２０の一部を構成しつつ合成樹脂によって形成される有底円筒状のカバー２３に配設される一対の端子３５が、カバー２３の外方に突出する給電端子接続部４１を一端部に有しつつ前記カバー２３の軸線Ｃ１に沿う方向を長辺方向４４とした平板状に形成されてカバー２３に挿通される挿入片部４０と、挿入片部４０の短辺方向４５に沿って延びるように形成されて挿入片部４０の他端部に一端部が連設される導線接続片部４２とを一体に有して同一形状に形成されており、カバー２３の軸線Ｃ１に沿う方向への投影図上で挿入片部４０の板厚方向での中心を通る直線Ｌ１上に導線４６の軸線Ｃ２が配置されるようにして該導線４６を挟持する挟持部４３が、導線接続片部４２の他端部に一体に設けられる。しかも挿入片部４０が、カバー２３において一対のブラシ２６が配置される一直径線ＤＬを含む平面ＰＬの一方側でカバー２３に挿入され、導線接続片部４２が、前記挟持部４３を、カバー２３の軸線Ｃ１に沿う方向への投影図上で前記一直径線ＤＬ側に配置するようにして前記挿入片部４０から延出される。
【００２９】
したがって同一形状である一対の端子３５を用いながら、一対のブラシを通る一直径線旗型端子３６を給電端子として用いたときに、外部導線３９との接続部がカバー２３の軸線方向への投影面からはみ出してしまうことがないように旗型端子３６を配置することができる。すなわちカバー２３内の一対のブラシ２６と、カバー２３の側壁内面との間で端子３５を配置可能なスペースは、一対のブラシ２６が配置される一直径線ＤＬを含む平面ＰＬの両側に存在するが、挿入片部４０の板厚方向での中心を通る直線Ｌ１上に導線４６の軸線Ｃ２が在るようにして当該導線４６を挟持部４３が挟持するように端子３５が形成されることで、挿入片部４０の板厚方向での中心を通る直線Ｌ１からの張り出しを小さくして端子３５を形成することができ、その端子３５を、一対のブラシ２６を通る一直径線ＤＬを含む平面ＰＬの一方側に配置して、給電端子接続部４１を前記平面ＰＬの一方側に配置することが可能となり、これによって外部導線３９との接続部がカバー２３の軸線Ｃ１に沿う方向への投影面からはみ出してしまうことがないように旗型端子３６を配置することが可能となり、上部保持部材７に、旗型端子３６の外部導線３９との接続部の前記投影面からのはみ出し部を許容する空間を設ける必要がなく、上部保持部材７の大型化を回避することができる。
【００３０】
また前記カバー２３に、一対の前記ブラシ２６を前記カバー２３の軸線に沿う方向での摺動を可能として保持する一対のブラシ保持壁４７が一体に形成され、前記投影図上で前記一直径線ＤＬに沿って延びて前記ブラシ２６および前記挟持部４３間を結ぶ導線４６を前記ブラシ保持壁４７内に導入する導線導入窓４８が、前記一直径線ＤＬに沿って前記ブラシ保持壁４７に形成されるので、ブラシ保持壁４７への導線４６のこすれを抑制することができる。
【００３１】
さらに前記挿入片部４０が、前記投影図上で前記短辺方向４５を前記一直径線ＤＬと直交する直線Ｌ４に対して傾斜させるようにして、前記カバー２３に挿通されるので、導線接続片部４２をカバー２３の側壁内周面に沿わせるようにして、端子３５を限られたスペースに有効に配置することができる。
【００３２】
以上、本発明の実施の形態について説明したが、本発明は上記実施の形態に限定されるものではなく、特許請求の範囲に記載された本発明を逸脱することなく種々の設計変更を行うことが可能である。
【符号の説明】
【００３３】
８・・・燃料ポンプ
２０・・・ポンプケース
２１・・・電動モータ
２３・・・カバー
２６・・・ブラシ
３５・・・端子
４０・・・挿入片部
４１・・・給電端子接続部
４２・・・導線接続片部
４３・・・挟持部
４４・・・長辺方向
４５・・・短辺方向
４６・・・導線
４７・・・ブラシ保持壁
４８・・・導線導入窓
Ｃ１・・・カバーの軸線
Ｃ２・・・導線の軸線
ＤＬ・・・一直径線
Ｌ１，Ｌ４・・・直線
【図１】
2017120038.tif 000003
【図２】
2017120038.tif 000004
【図３】
2017120038.tif 000005
【図４】
2017120038.tif 000006